(57)【特許請求の範囲】
【請求項１】
再生の開始を指示する呼び出し信号を無線により送信すると共に、前記呼び出し信号に引き続いて音声信号を無線により送信する無線送信装置と、該無線送信装置から前記呼び出し信号を受信することによって前記音声信号の再生を開始する無線受信装置とからなる無線通信システムであって、
前記無線送信装置は、前記音声信号の放送時間を示す放送時間データ信号を含む前記呼び出し信号を作成する呼び出し信号作成手段と、
該呼び出し信号作成手段により作成された前記呼び出し信号を前記音声信号の送信に先立って送信する呼び出し信号送信手段とを具備し、
前記無線受信装置は、前記呼び出し信号を解析して前記呼び出し信号に引き続く前記音声信号の前記放送時間を認識する呼び出し信号解析手段と、
前記呼び出し信号を受信することによって前記音声信号の再生を開始すると共に、前記音声信号の再生の開始から前記呼び出し信号解析手段により認識された前記音声信号の前記放送時間の経過後に前記音声信号の再生を停止する音声信号再生手段とを具備することを特徴とする無線通信システム。
【請求項２】
前記無線送信装置は、前記音声信号が記憶されている記憶媒体のアドレスから前記音声信号の前記放送時間を算出する放送時間算出手段を具備し、
前記呼び出し信号作成手段は、前記放送時間算出手段により算出された前記音声信号の前記放送時間に基づいて前記放送時間データ信号を作成させることを特徴とする請求項１記載の無線通信システム。
【請求項３】
無線受信装置に対し、再生の開始を指示する呼び出し信号を無線により送信すると共に、前記呼び出し信号に引き続いて音声信号を無線により送信する無線送信装置であって、
前記音声信号の放送時間を示す放送時間データ信号を含む、前記無線受信装置を呼び出す前記呼び出し信号を作成する呼び出し信号作成手段と、
該呼び出し信号作成手段により作成された前記呼び出し信号を前記音声信号の送信に先立って送信する呼び出し信号送信手段とを具備し、
前記無線受信装置に、前記音声信号の前記放送時間を認識させて、前記呼び出し信号の受信によって開始された前記音声信号の再生を、前記音声信号の再生の開始から前記放送時間の経過後に停止させるようにすることを特徴とする無線送信装置。
【請求項４】
前記音声信号が記憶されている記憶媒体のアドレスから前記音声信号の前記放送時間を算出する放送時間算出手段を具備し、前記呼び出し信号作成手段は、前記放送時間算出手段により算出された前記音声信号の前記放送時間に基づいて前記放送時間データ信号を作成させることを特徴とする請求項３記載の無線送信装置。
【請求項５】
無線送信装置から再生の開始を指示する呼び出し信号と、前記呼び出し信号に引き続く前記音声信号とを受信し、前記呼び出し信号を受信することによって前記音声信号の再生を開始する無線受信装置であって、
前記呼び出し信号を解析して前記呼び出し信号に引き続く前記音声信号の放送時間を認識する呼び出し信号解析手段と、
前記呼び出し信号を受信することによって前記音声信号の再生を開始すると共に、前記音声信号の再生の開始から前記呼び出し信号解析手段により認識された前記音声信号の前記放送時間の経過後に前記音声信号の再生を停止する音声信号再生手段とを具備することを特徴とする無線受信装置。
【請求項６】
再生の開始を指示する呼び出し信号を無線により送信すると共に、前記呼び出し信号に引き続いて音声信号を無線により送信する無線送信装置と、該無線送信装置から前記呼び出し信号を受信することによって前記音声信号の再生を開始する無線受信装置とからなる無線通信システムにおける無線通信方法であって、
前記無線送信装置は、前記音声信号の放送時間を示す放送時間データ信号を含む呼び出し信号を作成すると共に、該作成した前記呼び出し信号を前記音声信号の送信に先立って送信し、
前記無線受信装置は、前記呼び出し信号を解析して前記呼び出し信号に引き続く前記音声信号の前記放送時間を認識し、前記呼び出し信号を受信することによって前記音声信号の再生を開始すると共に、前記音声信号の再生の開始から認識した前記音声信号の前記放送時間の経過後に前記音声信号の再生を停止することを特徴とする無線通信方法。
【請求項７】
前記無線送信装置は、前記音声信号が記憶されている記憶媒体のアドレスから前記音声信号の前記放送時間を算出し、該算出した前記音声信号の前記放送時間に基づいて前記放送時間データ信号を作成することを特徴とする請求項６記載の無線通信方法。
【請求項８】
無線受信装置に対し、再生の開始を指示する呼び出し信号を無線により送信すると共に、前記呼び出し信号に引き続いて音声信号を無線により送信する無線送信装置における無線送信方法であって、
前記音声信号の放送時間を示す放送時間データ信号を含む、前記無線受信装置を呼び出す呼び出し信号を作成すると共に、該作成した前記呼び出し信号を前記音声信号の送信に先立って送信し、
前記無線受信装置に、前記音声信号の前記放送時間を認識させて、前記呼び出し信号の受信によって開始された前記音声信号の再生を、前記音声信号の再生の開始から前記放送時間の経過後に停止させるようにすることを特徴とする無線送信方法。
【請求項９】
前記音声信号が記憶されている記憶媒体のアドレスから前記音声信号の前記放送時間を算出し、該算出した前記音声信号の前記放送時間に基づいて前記放送時間データ信号を作成することを特徴とする請求項８記載の無線送信方法。
【請求項１０】
無線送信装置から再生の開始を指示する呼び出し信号と、前記呼び出し信号に引き続く前記音声信号とを受信し、前記呼び出し信号を受信することによって前記音声信号の再生を開始する無線受信装置における無線受信方法であって、
前記無線送信装置からの呼び出し信号を解析して前記音声信号の再生を指示するとともに前記音声信号の前記放送時間を認識し、前記呼び出し信号を受信することによって前記音声信号の再生を開始すると共に、前記音声信号の再生の開始から認識した前記音声信号の前記放送時間の経過後に前記音声信号の再生を停止することを特徴とする無線受信方法。
【発明の詳細な説明】
【０００１】
【発明の属する技術分野】
本発明は、ＭＳＫ信号を用いた無線通信システムおよび無線通信方法に関し、特に終話時ＭＳＫ信号によるノイズを防止する無線通信システムおよび無線通信方法に関する。
【０００２】
【従来の技術】
従来、市町村防災放送等に使用される無線システムは、親局から戸別受信装置および屋外拡声装置に音声信号を送信するに際して、所定の戸別受信装置および屋外拡声装置を呼び出すためのＭＳＫ（Minimum phase Shift Keying）信号（以下、呼び出し時ＭＳＫ信号と称す）と、送信の終了を知らせるためのＭＳＫ信号（以下、終話時ＭＳＫ信号と称す）とを送信し、呼び出し時ＭＳＫ信号と終話時ＭＳＫ信号との間に音声信号を送信するように構成されている。
【０００３】
終話時ＭＳＫ信号を受信した戸別受信装置および屋外拡声装置は、終話時ＭＳＫ信号に含まれる終話を知らせるデータ信号により音声信号の再生を終了させるため、終話時ＭＳＫ信号が耳障りなノイズとして再生されないように対策を行う必要がある。
【０００４】
終話時ＭＳＫ信号が耳障りなノイズとして再生されないようにする方法としては、終話時ＭＳＫ信号を送信する前に親機のキャリアを一旦落として、戸別受信装置および屋外拡声装置でキャリアが無くなったことを検出することにより音声の再生を終了させる方法と、戸別受信装置および屋外拡声装置に遅延回路（以下、ＢＢＤと称す）を設ける方法とが用いられている。
【０００５】
図５は、従来のＢＢＤにより音声信号を遅延させる戸別受信装置および屋外拡声装置の構成を示すブロック図である。
親機から送信される終話時ＭＳＫ信号は、アンテナ１０１、受信部１０２および制御部１０３を介してセレコール部１０５に転送され、セレコール部１０５により終話時ＭＳＫ信号の解析が行われる。終話時ＭＳＫ信号は、終話を知らせる信号であるため、セレコール部１０５は、制御部１０３にアンプ部１０４の停止を指示し、制御部１０３は、アンプ部１０４を停止させる。ここで、音声信号は、アンテナ１０１を介して受信部１０２で受信された後、ＢＢＤ１０７により遅延させてアンプ部１０４で増幅するように構成されているため、終話時ＭＳＫ信号は、アンプ部１０４で増幅されることなくスピーカ部１０６からノイズとして漏れることがない。
【０００６】
【発明が解決しようとする課題】
しかしながら、従来技術の終話時ＭＳＫ信号を送信する前に親機のキャリアを一旦落とす方法では、都市雑音やパソコン等の雑音の増加に伴い、都市雑音、パソコン等の外来ノイズ等の雑音の影響によりキャリアが無くなったことを戸別受信装置や屋外拡声装置が検出できないという問題点があった。
【０００７】
また、従来技術の戸別受信装置および屋外拡声装置にＢＢＤを設ける方法では、ＢＢＤという高価なＩＣを使用しなければならず、廉価な装置を提供できないとともに、ＢＢＤでＡ／Ｄ変換器が使用されているため、再生される音質が劣化してしまうという問題点があった。
【０００８】
本発明は斯かる問題点を鑑みてなされたものであり、その目的とするところは、都市雑音、パソコン等の外来ノイズ等の雑音の影響に左右されずに終話時ＭＳＫ信号によるノイズを防止でき、さらにＢＢＤを用いることなく終話時ＭＳＫ信号によるノイズを防止できる無線通信システムおよび無線通信方法を提供する点にある。
【０００９】
【課題を解決するための手段】
本発明は上記課題を解決すべく、以下に掲げる構成とした。
請求項１記載の発明の要旨は、再生の開始を指示する呼び出し信号を無線により送信すると共に、前記呼び出し信号に引き続いて音声信号を無線により送信する無線送信装置と、該無線送信装置から前記呼び出し信号を受信することによって前記音声信号の再生を開始する無線受信装置とからなる無線通信システムであって、前記無線送信装置は、前記音声信号の放送時間を示す放送時間データ信号を含む前記呼び出し信号を作成する呼び出し信号作成手段と、該呼び出し信号作成手段により作成された前記呼び出し信号を前記音声信号の送信に先立って送信する呼び出し信号送信手段とを具備し、前記無線受信装置は、前記呼び出し信号を解析して前記呼び出し信号に引き続く前記音声信号の前記放送時間を認識する呼び出し信号解析手段と、前記呼び出し信号を受信することによって前記音声信号の再生を開始すると共に、前記音声信号の再生の開始から前記呼び出し信号解析手段により認識された前記音声信号の前記放送時間の経過後に前記音声信号の再生を停止する音声信号再生手段とを具備することを特徴とする無線通信システムに存する。
また請求項２記載の発明の要旨は、前記無線送信装置は、前記音声信号が記憶されている記憶媒体のアドレスから前記音声信号の前記放送時間を算出する放送時間算出手段を具備し、前記呼び出し信号作成手段は、前記放送時間算出手段により算出された前記音声信号の前記放送時間に基づいて前記放送時間データ信号を作成させることを特徴とする請求項１記載の無線通信システムに存する。
また請求項３記載の発明の要旨は、無線受信装置に対し、再生の開始を指示する呼び出し信号を無線により送信すると共に、前記呼び出し信号に引き続いて音声信号を無線により送信する無線送信装置であって、前記音声信号の放送時間を示す放送時間データ信号を含む、前記無線受信装置を呼び出す前記呼び出し信号を作成する呼び出し信号作成手段と、該呼び出し信号作成手段により作成された前記呼び出し信号を前記音声信号の送信に先立って送信する呼び出し信号送信手段とを具備し、前記無線受信装置に、前記音声信号の前記放送時間を認識させて、前記呼び出し信号の受信によって開始された前記音声信号の再生を、前記音声信号の再生の開始から前記放送時間の経過後に停止させるようにすることを特徴とする無線送信装置に存する。
また請求項４記載の発明の要旨は、前記音声信号が記憶されている記憶媒体のアドレスから前記音声信号の前記放送時間を算出する放送時間算出手段を具備し、前記呼び出し信号作成手段は、前記放送時間算出手段により算出された前記音声信号の前記放送時間に基づいて前記放送時間データ信号を作成させることを特徴とする請求項３記載の無線送信装置に存する。
また請求項５記載の発明の要旨は、無線送信装置から再生の開始を指示する呼び出し信号と、前記呼び出し信号に引き続く前記音声信号とを受信し、前記呼び出し信号を受信することによって前記音声信号の再生を開始する無線受信装置であって、
前記呼び出し信号を解析して前記呼び出し信号に引き続く前記音声信号の放送時間を認識する呼び出し信号解析手段と、
前記呼び出し信号を受信することによって前記音声信号の再生を開始すると共に、前記音声信号の再生の開始から認識した前記音声信号の前記放送時間の経過後に前記音声信号の再生を停止する音声信号再生手段とを具備することを特徴とする無線受信装置に存する。
また請求項６記載の発明の要旨は、再生の開始を指示する呼び出し信号を無線により送信すると共に、前記呼び出し信号に引き続いて音声信号を無線により送信する無線送信装置と、該無線送信装置から前記呼び出し信号を受信することによって前記音声信号の再生を開始する無線受信装置とからなる無線通信システムにおける無線通信方法であって、前記無線送信装置は、前記音声信号の放送時間を示す放送時間データ信号を含む呼び出し信号を作成すると共に、該作成した前記呼び出し信号を前記音声信号の送信に先立って送信し、前記無線受信装置は、前記呼び出し信号を解析して前記呼び出し信号に引き続く前記音声信号の前記放送時間を認識し、前記呼び出し信号を受信することによって前記音声信号の再生を開始すると共に、前記音声信号の再生の開始から前記呼び出し信号解析手段により認識された前記音声信号の前記放送時間の経過後に前記音声信号の再生を停止することを特徴とする無線通信方法に存する。
また請求項７記載の発明の要旨は、前記無線送信装置は、前記音声信号が記憶されている記憶媒体のアドレスから前記音声信号の前記放送時間を算出し、該算出した前記音声信号の前記放送時間に基づいて前記放送時間データ信号を作成することを特徴とする請求項６記載の無線通信方法に存する。
また請求項８記載の発明の要旨は、無線受信装置に対し、再生の開始を指示する呼び出し信号を無線により送信すると共に、前記呼び出し信号に引き続いて音声信号を無線により送信する無線送信装置における無線送信方法であって、前記音声信号の放送時間を示す放送時間データ信号を含む、前記無線受信装置を呼び出す呼び出し信号を作成すると共に、該作成した前記呼び出し信号を前記音声信号の送信に先立って送信し、前記無線受信装置に、前記音声信号の前記放送時間を認識させて、前記呼び出し信号の受信によって開始された前記音声信号の再生を、前記音声信号の再生の開始から前記放送時間の経過後に停止させるようにすることを特徴とする無線送信方法に存する。
また請求項９記載の発明の要旨は、前記音声信号が記憶されている記憶媒体のアドレスから前記音声信号の前記放送時間を算出し、該算出した前記音声信号の前記放送時間に基づいて前記放送時間データ信号を作成することを特徴とする請求項８記載の無線送信方法に存する。
また請求項１０記載の発明の要旨は、無線送信装置から再生の開始を指示する呼び出し信号と、前記呼び出し信号に引き続く前記音声信号とを受信し、前記呼び出し信号を受信することによって前記音声信号の再生を開始する無線受信装置における無線受信方法であって、前記無線送信装置からの呼び出し信号を解析して前記音声信号の再生を指示するとともに前記音声信号の前記放送時間を認識し、前記呼び出し信号を受信することによって前記音声信号の再生を開始すると共に、前記音声信号の再生の開始から前記呼び出し信号解析手段により認識された前記音声信号の前記放送時間の経過後に前記音声信号の再生を停止することを特徴とする無線受信方法に存する。
【００１０】
【発明の実施の形態】
以下、本発明の実施の形態を図面に基づいて詳細に説明する。
【００１１】
図１は、本発明に係る無線通信システムの実施の形態のシステム構成を示すシステム構成図であり、図２は、図１に示す送信装置の構成を示すブロック図であり、図３は、図２に示すＭＳＫ信号作成部で作成されるＭＳＫ信号のフォーマットを示すフォーマット図であり、図４は、図１に示す戸別受信装置および屋外拡声装置の構成を示すブロック図である。
【００１２】
本実施の形態は、音声信号を無線により送信する送信装置１と、送信装置１からの音声信号を受信して音声を再生する戸別受信装置２および屋外拡声装置３とからなり、送信装置１は、ハードディスクドライブ装置（以下、ＨＤＤと称す）４１に記憶されている音声信号を決められた時間に再生して送信する自動放送装置４と、ＨＤＤ５１に記憶されている地域情報を送信する地域通報装置５と、カセットテープ等のテープ６１に記憶されている音声信号を送信するテープ放送装置６と、ＲＡＭ７１に記憶されている音声信号を送信するＩＣ録音放送装置７と、サイレンパターン記憶部８１に記憶されているサイレンパターンの音声信号を送信するサイレンパターン放送装置８とから供給される音声信号を無線により送信する。
【００１３】
送信装置１は、自動放送装置４のＨＤＤ４１、地域通報装置５のＨＤＤ５１、テープ放送装置６のテープ６１、ＩＣ録音放送装置７のＲＡＭ７１およびサイレンパターン放送装置８のサイレンパターン記憶部８１に記憶されている音声信号の各種情報を管理する管理部１１と、音声信号情報の入力、削除、変更等を行うためのキーボード等からなる操作部１２と、管理部１１で管理している音声信号の放送時間を算出する放送時間算出部１３と、所定の戸別受信装置２および屋外拡声装置３を呼び出すためのＭＳＫ（Minimum phase Shift Keying）信号（以下、呼び出し時ＭＳＫ信号と称す）および送信の終了を知らせるためのＭＳＫ信号（以下、終話時ＭＳＫ信号と称す）を作成するＭＳＫ信号作成部１４と、ＭＳＫ信号および音声信号をアンテナ１６を介して送信する送信部１５とからなる。
【００１４】
管理部１１は、自動放送装置４のＨＤＤ４１、地域通報装置５のＨＤＤ５１、テープ放送装置６のテープ６１、ＩＣ録音放送装置７のＲＡＭ７１およびサイレンパターン放送装置８のサイレンパターン記憶部８１にそれぞれ記憶されている音声信号毎に、名称、記憶されている装置、装置内のアドレス情報、放送エリア情報および放送時間情報等からなる音声信号情報を記憶しており、操作部１２から指示された音声信号の音声信号情報の一部である放送エリア情報および放送時間情報をＭＳＫ信号作成部１４に送信するとともに、指示された音声信号を自動放送装置４のＨＤＤ４１、地域通報装置５のＨＤＤ５１、テープ放送装置６のテープ６１、ＩＣ録音放送装置７のＲＡＭ７１もしくはサイレンパターン放送装置８のサイレンパターン記憶部８１から読み出して送信部１５に送信する。
【００１５】
また、管理部１１は、放送時間が不明な音声信号について、音声信号が自動放送装置４のＨＤＤ４１、地域通報装置５のＨＤＤ５１およびＩＣ録音放送装置７のＲＡＭ７１に記憶されている場合には、装置内のアドレス情報を放送時間算出部１３に送信することで放送時間を算出させ、放送時間算出部１３により算出された放送時間を放送時間情報として記憶し、音声信号がテープ放送装置６のテープ６１に記憶されている場合には、テープ６１に記憶されている音声信号の放送内容の確認を行う際に、放送時間を計測して放送時間情報として記憶する。なお、装置内のアドレス情報による放送時間算出部１３による放送時間の算出のタイミングは、音声信号の送信に先立つ呼び出し時ＭＳＫ信号の送信前であればどのようなタイミングで行ってもよいことは言うまでもない。
【００１６】
また、サイレンパターン放送装置８のサイレンパターン記憶部８１に記憶されている音声信号は、既に放送時間が分かっているものとし、サイレンパターン記憶部８１に音声信号を記憶する際に、操作部１２から入力された放送時間が放送時間情報として管理部１１に記憶される。
【００１７】
操作部１２は、キーボード等の入力装置からなり、音声信号の送信を指示するとともに、管理部１１が記憶する音声信号の名称、記憶されている装置、装置内のアドレス情報、放送エリア情報および放送時間情報等からなる音声信号情報の入力、変更、削除等の指示を行う。
【００１８】
放送時間算出部１３は、管理部１１から送られてくる音声信号の装置内のアドレス情報に基づいて音声信号の放送時間を算出して、算出した放送時間を放送時間情報として管理部１１に送信する。放送時間の算出は、ＨＤＤ４１、ＨＤＤ５１およびＲＡＭ７１に記憶されている音声信号の開始アドレスと終了アドレスとから放送時間を算出する。
【００１９】
ＭＳＫ信号作成部１４は、音声信号の送信に先立ち、管理部１１から送られてくる音声信号の音声信号情報の一部である放送エリア情報および放送時間情報に基づいて呼び出し時ＭＳＫ信号を作成する。また、ＭＳＫ信号作成部１４は、管理部１１から送られてくる音声信号の音声信号情報に放送時間情報が含まれていない場合には、呼び出し時ＭＳＫ信号と終話時ＭＳＫ信号とを作成する。
【００２０】
ＭＳＫ信号作成部１４で作成されるＭＳＫ信号は、ビット同期信号と、フレーム同期信号と、市町村コードと、データ信号９とからなり、呼び出し時ＭＳＫ信号では、データ信号９が放送時間データ信号９１とＩＤ信号９２とからなり、終話時ＭＳＫ信号では、データ信号９が終話データ信号９３とからなる。
【００２１】
戸別受信装置２および屋外拡声装置３は、送信装置１からのＭＳＫ信号および音声信号を受信するアンテナ２１と、アンテナ２１により受信したＭＳＫ信号および音声信号をアンプ部２５と制御部２３とに転送する受信部２２と、受信部２２から転送されたＭＳＫ信号および音声信号からＭＳＫ信号を抽出して抽出したＭＳＫ信号をセレコール部２４に送信する制御部２３と、制御部２３から受信したＭＳＫ信号を解析するセレコール部２４と、受信部２２から転送された音声信号を増幅するアンプ部２５と、アンプ部２５の動作時間をカウントするタイマ部２６と、アンプ部２５により増幅された音声信号を再生するスピーカ部２７とからなる。
【００２２】
制御部２３は、受信部２２、セレコール部２４、アンプ部２５およびタイマ部２６の動作を制御するとともに、セレコール部２４によるＭＳＫ信号の解析結果に基づいてアンプ部２５の起動および停止とタイマ部２６のカウント値の設定を行う。
【００２３】
セレコール部２４は、受信した呼び出し時ＭＳＫ信号と終話時ＭＳＫ信号との解析結果を制御部２３に通知する。セレコール部２４による解析は、呼び出し時ＭＳＫ信号では、ビット同期信号とフレーム同期信号とにより同期をとり、市町村コードとＩＤ信号９２とから自装置向けの信号か否かを認識し、放送時間データ信号９１から音声信号の放送時間を把握し、終話時ＭＳＫ信号では、ビット同期信号とフレーム同期信号とにより同期をとり、終話データ信号９３から音声信号の終わりを認識する。
【００２４】
アンプ部２５は、制御部２３による起動指示により音声信号をスピーカ部２７で再生するための増幅を開始し、制御部２３もしくはタイマ部２６による停止指示により音声信号をスピーカ部２７で再生するための増幅を停止する。すなわち、アンプ部２５が起動されている間は、音声信号がスピーカ部２７により再生され、アンプ部２５が停止されるとスピーカ部２７からは音声が再生されない。
【００２５】
タイマ部２６は、制御部２３により設定されたカウント値をカウントして、カウント終了時にアンプ部２７に停止指示を行う。
【００２６】
次に、本実施の形態の動作を詳細に説明する。
まず、送信装置１から音声信号を送信する送信動作について説明する。
操作部１２により送信する音声信号が指定され、送信が指示されると、管理部１１は、指定された音声信号の音声信号情報の一部である放送エリア情報および放送時間情報をＭＳＫ信号作成部１４に送信するとともに、指定された音声信号の読み出しの準備を行う。
【００２７】
ＭＳＫ信号作成部１４は、放送エリア情報から市町村コードおよびＩＤ信号９２を作成し、放送時間情報から放送時間データ信号を作成することで呼び出し時ＭＳＫ信号を作成して、作成した呼び出し時ＭＳＫ信号を送信部１５に送信する。
【００２８】
送信部１５は、ＭＳＫ信号作成部１４により作成された呼び出し時ＭＳＫ信号をアンテナ１６を介して戸別受信装置２および屋外拡声装置３に送信するとともに、管理部１１に指定された音声信号の読み出しを依頼して、呼び出し時ＭＳＫ信号に引き続いた音声信号の送信を行う。
【００２９】
次に、戸別受信装置２および屋外拡声装置３による受信動作について説明する。
受信部２２によりアンテナ２１を介して受信された呼び出し時ＭＳＫ信号は、制御部２３を介してセレコール部２４に送られる。セレコール部２４は、呼び出し時ＭＳＫ信号のビット同期信号とフレーム同期信号とにより同期をとり、市町村コードとＩＤ信号９２とから自装置向けの信号か否かを認識し、放送時間データ信号９１から音声信号の放送時間を把握する。
【００３０】
セレコール部２４は、市町村コードとＩＤ信号９２とから自装置向けの信号であると認識した場合には、自装置向けの信号であることを制御部２３に通知するとともに、放送時間データ信号９１から認識した音声信号の放送時間を制御部２３に通知する。
【００３１】
制御部２３は、アンプ部２５に起動指示を行うとともに、タイマ部２６にセレコール部２４から通知された音声信号の放送時間をカウント値として設定し、アンプ部２５は、制御部２３による起動指示により音声信号をスピーカ部２７で再生するための増幅を開始し、タイマ部２６は、制御部２３により設定されたカウント値のカウントを開始する。
【００３２】
タイマ部２６は、制御部２３により設定されたカウント値のカウントが終了、すなわち設定された音声信号の放送時間が経過したとき、アンプ部２５に停止指示を行い、アンプ部２５は、タイマ部２６による停止指示により音声信号をスピーカ部２７で再生するための増幅を停止する。
【００３３】
以上説明したように、本実施の形態によれば、呼び出し時ＭＳＫ信号の放送時間データ信号により、戸別受信装置および屋外拡声装置が終話時ＭＳＫ信号によらずに終話処理を行えるように構成したので、都市雑音、パソコン等の外来ノイズ等の雑音の影響に左右されずに終話時ＭＳＫ信号によるノイズを防止でき、さらにＢＢＤを用いることなく終話時ＭＳＫ信号によるノイズを防止できるため、廉価な装置を提供でき、再生される音質を向上させることができるという効果を奏する。
【００３４】
なお、本実施の形態では、音声信号の音声信号情報に放送時間情報が存在することを前提として説明したが、緊急の送信、例えばテープ６１に記憶されるいる音声信号の放送時間を特定する前に行う送信の場合には、音声信号情報に放送時間情報が存在しないため、ＭＳＫ信号作成部１４は、放送時間データ信号を含まない呼び出し時ＭＳＫ信号を作成するとともに、終話時ＭＳＫ信号を作成する。
【００３５】
なお、本発明が上記各実施形態に限定されず、本発明の技術思想の範囲内において、各実施形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【００３６】
【発明の効果】
本発明の無線通信システムおよび無線通信方法は、呼び出し時ＭＳＫ信号の放送時間データ信号により、戸別受信装置および屋外拡声装置が終話時ＭＳＫ信号によらずに終話処理を行えるように構成したので、都市雑音、パソコン等の外来ノイズ等の雑音の影響に左右されずに終話時ＭＳＫ信号によるノイズを防止でき、さらにＢＢＤを用いることなく終話時ＭＳＫ信号によるノイズを防止できるため、廉価な装置を提供でき、再生される音質を向上させることができるという効果を奏する。
【図面の簡単な説明】
【図１】本発明に係る無線通信システムの実施の形態のシステム構成を示すシステム構成図である。
【図２】図１に示す送信装置の構成を示すブロック図である。
【図３】図２に示すＭＳＫ信号作成部で作成されるＭＳＫ信号のフォーマットを示すフォーマット図である。
【図４】図１に示す戸別受信装置および屋外拡声装置の構成を示すブロック図である。
【図５】従来のＢＢＤにより音声信号を遅延させる戸別受信装置および屋外拡声装置の構成を示すブロック図である。
【符号の説明】
１  送信装置
１１  管理部
１２  操作部
１３  放送時間算出部
１４  ＭＳＫ信号作成部
１５  送信部
１６  アンテナ
２  戸別受信装置
３  屋外拡声装置
２１  アンテナ
２２  受信部
２３  制御部
２４  セレコール部
２５  アンプ部
２６  タイマ部
２７  スピーカ部
４  自動放送装置
４１  ＨＤＤ
５  地域通報装置
５１  ＨＤＤ
６  テープ放送装置
６１  テープ
７  ＩＣ録音放送装置
７１  ＲＡＭ
８  サイレンパターン放送装置
８１  サイレンパターン記憶部
９  データ信号
９１  放送時間データ信号
９２  ＩＤ信号
９３  終話データ信号
【図１】
0003678623.tif 000002
【図２】
0003678623.tif 000003
【図３】
0003678623.tif 000004
【図４】
0003678623.tif 000005
【図５】
0003678623.tif 000006